(57)【要約】  【課題】正式に審査員が歌唱者の歌唱力を審査し認定するため、そのプレ審査として、カラオケ演奏端末が付帯する自動採点機能を効果的に活用し、かつ、審査エントリーの希望者数が想定外に増加した場合であっても効率的に本審査を行い得る歌唱力審査エントリーシステムの提供  【解決手段】歌唱力認定対象となる所定の楽曲に対する歌唱者の歌唱音声の自動採点による結果が、カラオケホスト装置に記録されている当該楽曲に対する当該歌唱者の採点値を越えた場合ないし当該楽曲に対する当該歌唱者のエントリー情報が存在しない場合はエントリー指示を受け付け可能とし、採点値を越えない場合はエントリー指示を受け付け不可とする。【選択図】図３
2005134596.tif 000002
【特許請求の範囲】
【請求項１】
所定のカラオケ楽曲を演奏すると共に、当該楽曲に対する歌唱者の歌唱音声を録音し、前記歌唱音声に対し、所定のアルゴリズムにてその歌唱力を自動採点する機能を有するカラオケ演奏端末と、前記歌唱者のエントリー指示により、当該カラオケ演奏端末から前記楽曲のＩＤコードと当該楽曲に対する歌唱音声の録音情報および採点結果を受け取り可能とし、受け取った当該エントリー情報に歌唱者ＩＤを紐付けして記録し、これを審査対象情報として管理するカラオケホスト装置からなり、所定の楽曲に対する歌唱者の歌唱音声の採点結果が、前記カラオケホスト装置に既に記録されている当該楽曲に対する前記歌唱者の採点値を越えた場合、ないし当該楽曲に対する前記歌唱者のエントリー情報が存在しない場合は前記エントリー指示を受け付け可能とし、採点値を越えない場合は前記エントリー指示を受け付け不可とし、かつ、前記歌唱者の採点値を越えた場合は、審査対象情報として管理する当該楽曲に対するエントリー情報が新規に書き変わることを特徴としてなる歌唱力審査エントリーシステム。
【請求項２】
前記歌唱者ＩＤの確認は当該歌唱者のＩＤカードを用いて行われると共に、前記カラオケ演奏端末は前記ＩＤカードの読み取り／書き込み機能を付帯してなる請求項１記載の歌唱力審査エントリーシステム。
【発明の詳細な説明】
【技術分野】
【０００１】
本発明は、所定のカラオケ楽曲に対する歌唱者の歌唱力の審査エントリーに関わるシステムに関し、さらに詳しくは、歌唱力自動採点機能を有したカラオケ演奏端末とカラオケホスト装置を利用した審査エントリーシステムに関する。
【背景技術】
【０００２】
近年、カラオケの普及により一般人の歌唱力レベルが向上し、カラオケ伴奏を利用した素人カラオケ大会などといった歌唱力を競うイベントなども多く行われ、一般人であってもプロ歌手にも負けない歌唱力を有する歌唱者も多くいる。このような歌唱力レベルの向上に伴い、自らの歌唱力を客観的に評価してもらいたいという要求に応えるように、級位や段位を設定して認定する企画がなされている。しかし、歌唱力を審査して認定する従来のシステムでは、審査員を目の当たりにする歌唱力認定では、人前で歌唱するのが苦手な歌唱者は強いプレッシャーを受けて審査エントリーを躊躇ったり、あるいは歌唱力認定は所定の日時に所定の場所にて行われるために時間的な拘束があり、このような制約から、優れた歌唱力を有する歌唱者であっても審査エントリーができないという問題があった。
【０００３】
そこで、最近では、所定のカラオケ楽曲に対する歌唱者の歌唱音声を録音し、これをネットワーク通信回線を介してエントリー情報を転送できるようにした通信カラオケシステムが開発され、これにより、全ての歌唱者が平等な条件の下で審査エントリーできる歌唱力認定システムが想到された。例えば、特開平１０−２６９９３号公報（特許文献１）では、カラオケ採点装置を用いて得られた得点に応じて複数の能力段階に分類する能力段階分類手段と、この能力段階分類手段により分類された能力段階の名称を表示する表示手段とを備えたカラオケ演奏端末が想到され、これによって歌唱能力を能力段階の名称で表示させる技術が開示されている。また、特開２０００−２３１３９２号公報（特許文献２）では、カラオケ演奏端末が歌唱者の歌唱音声をデジタル録音し、オーディション用サーバとの間にデータ通信を行うオーディション機能を備えた通信カラオケシステムについての技術が開示されている。
【０００４】
【特許文献１】特開平１０−２６９９３号公報
【特許文献２】特開２０００−２３１３９２号公報
【発明の開示】
【発明が解決しようとする課題】
【０００５】
しかしながら、従来のカラオケ演奏端末を利用した歌唱力認定システムでは、正式に審査員が歌唱者の歌唱力（級位・段位）を審査し認定するためのものであって、そのプレ審査として、カラオケ演奏端末が付帯する自動採点機能を効果的に活用し、かつ、審査エントリーの希望者数が想定外に増加した場合であっても効率的に本審査を行い得るようなシステムについては何ら開示されておらず、歌唱者が自らの歌唱力を客観的に審査員に審査してもらいたいという要求に十分に応えるものではなかった。
【０００６】
本発明は、上記問題や不都合を解消するために想到されたもので、すなわち、正式に審査員が歌唱者の歌唱力を審査し認定するために、そのプレ審査として、カラオケ演奏端末が付帯する自動採点機能を効果的に活用し、かつ、審査エントリーの希望者数が想定外に増加した場合であっても効率的に本審査を行い得る歌唱力審査エントリーシステムの提供を課題とする。
【課題を解決するための手段】
【０００７】
そこで、本発明者らは、歌唱力認定対象となる所定の楽曲に対する歌唱者の歌唱音声の自動採点による結果が、カラオケホスト装置に記録されている当該楽曲に対する当該歌唱者の採点値を越えた場合ないし当該楽曲に対する当該歌唱者のエントリー情報が存在しない場合はエントリー指示を受け付け可能とし、採点値を越えない場合はエントリー指示を受け付け不可とすることで上記課題を解決できることを見出し、歌唱力審査エントリーシステムを想到した。
【０００８】
すなわち、本発明の請求項１記載の歌唱力審査エントリーシステムは、所定のカラオケ楽曲を演奏すると共に、当該楽曲に対する歌唱者の歌唱音声を録音し、前記歌唱音声に対し、所定のアルゴリズムにてその歌唱力を自動採点する機能を有するカラオケ演奏端末と、前記歌唱者のエントリー指示により、当該カラオケ演奏端末から前記楽曲のＩＤコードと当該楽曲に対する歌唱音声の録音情報および採点結果を受け取り可能とし、受け取った当該エントリー情報に歌唱者ＩＤを紐付けして記録し、これを審査対象情報として管理するカラオケホスト装置からなり、前記カラオケホスト装置に既に記録されている当該楽曲に対する前記歌唱者の採点値を越えた場合、ないし当該楽曲に対する前記歌唱者のエントリー情報が存在しない場合は前記エントリー指示を受け付け可能とし、採点値を越えない場合は前記エントリー指示を受け付け不可とし、かつ、前記歌唱者の採点値を越えた場合は、審査対象情報として管理する当該楽曲に対するエントリー情報が新規に書き変わることを特徴とする。
【０００９】
さらに、本発明の請求項２記載の歌唱力審査エントリーシステムは、前記歌唱者ＩＤの確認は当該歌唱者のＩＤカードを用いて行われると共に、前記カラオケ演奏端末は前記ＩＤカードの読み取り／書き込み機能を付帯してなることを特徴とする。
【発明の効果】
【００１０】
本発明の請求項１記載の歌唱力審査エントリーシステムによれば、従来のカラオケ演奏端末を利用した歌唱力認定システムの利点である、人前で歌唱するのが苦手な歌唱者でも強いプレッシャーを受けることなく、また時間的な拘束を受けないという効果の他、歌唱力の自動採点を活用し、カラオケホスト装置にはカラオケ演奏端末から当該採点情報を含んだ歌唱者のエントリー情報が記憶されて逐次更新され、その更新情報に基づいて審査エントリーができるか否かが判断されるため、例えば、プレ審査において以前の審査エントリー時よりも採点が低く、本審査にて昇級や昇段が到底望めない場合には、審査エントリーを受け付けないようにすることで、本審査の無駄を省き、審査エントリーの希望者数が想定外に増加した場合であっても効率的に本審査を行い得るなどといった効果を奏する。
【００１１】
さらに、本発明の請求項２記載の歌唱力審査エントリーシステムによれば、歌唱者のＩＤの確認は当該歌唱者のＩＤカードを用いて行われ、カラオケ演奏端末はＩＤカードの読み取り／書き込み機能を付帯しているため、本システムにおける歌唱者のＩＤの確認が正確かつ容易となり、また、当該ＩＤカードにもエントリー情報に関するデータを記憶したりできると共に、有料エントリーの場合に、ＩＤカードによっては当該カードによる課金も可能となり、より効率的に審査ができるなどといった効果を奏する。
【発明を実施するための最良の形態】
【００１２】
以下、本発明の歌唱力審査エントリーシステムについて最適な実施例を挙げ、さらに詳述する。
【実施例１】
【００１３】
先ず、図１は本発明のシステムにおけるカラオケ演奏端末のブロック図である。本発明において、歌唱音声の録音と歌唱力を自動採点する機能を有するカラオケ演奏端末（Ｐ）は、装置全体の動作を制御する中央制御手段（ＣＰＵ：１０）と、これに接続された各種機器で構成され、この中央制御手段（１０）には、ハードディスク（１１）、ＲＡＭ（１２）、音源（シンセサイザ：１３）、ミキサ（エフェクタ：１４）、ボーカルアダプタ（１９）、ＭＰＥＧデコーダ（２０）、合成回路（２１）、リモコン装置（２３）などが接続されている。ハードディスク（１１）は、カラオケ楽曲を演奏するための楽曲データやディスプレイ装置（２２）に背景映像を表示するための映像データなどを記憶している。
【００１４】
先ず、音源（１３）は、中央制御手段（１０）が実行する楽曲シーケンサ（３１）の処理によって入力された楽曲データに応じて楽音信号を形成する。形成した楽音信号はミキサ（１４）に入力され、このミキサ（１４）は、音源（１３）が発生した複数の楽音信号やカラオケマイク（１７）とＡ／Ｄコンバータ（１８）を介して入力された歌唱者の歌唱音声信号を適当なバランスでミキシングする。ミキシングされたデジタル音声信号はサウンドシステム（ＳＳ：１５）に入力される。このサウンドシステム（１５）はＤ／Ａコンバータおよびパワーアンプを備えており、入力されたデジタル信号をアナログ信号に変換して増幅し、スピーカ（１６）から楽音と歌唱音声を放音する。
【００１５】
Ａ／Ｄコンバータ（１８）によってデジタル信号に変換された歌唱音声信号は、ボーカルアダプタ（１９）にも入力される。このボーカルアダプタ（１９）は、入力された歌唱音声信号から歌唱周波数を採取すると共に、中央制御手段（１０）の楽曲シーケンサ（３１）から入力されたリファレンスの周波数を採取する。そして、この歌唱周波数とリファレンス周波数を同期させ、所定時間毎に区切って中央制御手段（１０）に入力し、歌唱力採点手段（３５）による採点処理を行う。なお、リファレンスとしては、通常、楽曲に含まれるガイドメロディーが用いられる。
【００１６】
歌唱力の自動採点は歌唱力採点手段（３５）にて行われ、歌唱周波数の採点結果を基本とし、様々な歌唱要素を評価する所定のアルゴリズムにて最終得点を算出する。例えば、採点は歌唱者の歌唱音声をリファレンスと比較することによって行われ、楽曲の終了時にその点数を表示する。ハードディスク（１１）には採点テーブルが記憶され、この採点テーブルの採点は、基本的には歌唱の周波数（音程・ピッチ）について行い、基本点数を算出すると共に、ビブラートの程度、抑揚の程度、音質の良否、タイミングの良否、しゃくりの回数などに基づき、ボーナスポイントを算出して基本点数に加算（減算）する。さらに、ＲＡＭ（１２）には、各種プログラムや楽曲データを読み出すエリアの他、採点時に採点結果を記憶する採点ログエリアなどが設定されている。
【００１７】
ハードディスク（１１）に記憶されている背景映像データ（４１）は、ＭＰＥＧ２形式にエンコードされており、中央制御手段（１０）が実行する背景映像再生手段（３４）により再生処理を行い、これを読み出してＭＰＥＧデコーダ（２０）に入力する。このＭＰＥＧデコーダ（２０）は、入力されたＭＰＥＧデータをＮＴＳＣの映像信号に変換して合成回路（２１）に入力し、この合成回路（２１）は、この背景映像の映像信号上に歌詞テロップや採点表示などのＯＳＤを合成し、合成された映像信号はディスプレイ装置（２２）に表示される。
【００１８】
リモコン装置（２３）は利用者インタフェイスやリモコン信号送信回路（図示せず）などからなり、利用者の操作に応じた操作信号を中央制御手段（１０）に入力する。中央制御手段（１０）は、操作入力処理手段（３６）によって、この操作信号を検出し、対応する処理を行う。例えば、リモコン装置（２３）にて楽曲のＩＤコードが入力されると、これを操作入力手段（３６）が検出し、カラオケ楽曲のリクエストであるとしてシーケンサ（３０）に伝達する。このシーケンサ（３０）は、これに応じて、この楽曲のＩＤコードで識別される楽曲データをハードディスク（１１）の楽曲データ記憶エリア（４０）から読み出す。また、このシーケンサ（３０）は主に楽曲シーケンサ（３１）および歌詞シーケンサ（３２）からなっており、楽曲シーケンサ（３１）は楽曲データ中の演奏データトラック、ガイドメロディートラックなどのトラックデータを読み出し、このデータで音源（１３）を制御することでカラオケ楽曲の演奏を行い、一方、歌詞シーケンサ（３２）は文字パターン作成手段（３３）を備えており、楽曲データ中の歌詞トラックのデータを読み出し、このデータに基づいて歌詞テロップの画像パターンを作成し、これを合成回路（２１）に出力する。
【００１９】
録音入力インタフェイス（２４）は、ミキサ（１４）から受け取った、楽曲データに応じた楽音信号とカラオケマイクに入力された歌唱音声との混合信号を入力し、この混合信号をサンプリングしてＰＣＭデータへの変換処理を行う。このＰＣＭデータは歌唱力音声データ（録音情報：４５）とされ、楽曲のＩＤコード（４３）と歌唱力採点手段（３５）にて自動採点された採点ログ（採点結果：４４）と共に、歌唱者ＩＤ（４２）に紐付けされてＲＡＭ（１２）に記憶される。そして、歌唱者のエントリー指示により、後述する所定の条件を満たした場合に、これら歌唱者ＩＤ（４２）を紐付けした、楽曲のＩＤコード（４３）、歌唱音声の録音情報（４５）および採点結果（４４）をエントリー情報とし、この情報はネットワーク通信回線を介してカラオケホスト装置へ送られ、当該カラオケホスト装置は、これを審査対象情報として管理する。
【００２０】
ここで、図２に示す歌唱力採点機能のブロック図に基づき、本発明のシステムにおける自動採点を例示して詳述する。
【００２１】
カラオケマイク（１７）から入力された歌唱音声信号はＡ／Ｄコンバータ（１８）でデジタル音声信号に変換されてボーカルアダプタ（１９）に入力される。ボーカルアダプタ（１９）はこのデジタル音声信号をそのまま歌唱力採点手段（３５）に出力すると共に、歌唱周波数検出部（５２）が歌唱周波数（セント値）を検出し、これを歌唱力採点手段（３５）に出力する。また、歌唱音声信号の音声波形はエンベロープ検出部（５８）に送られて振幅が検出され、その歌唱レベル値が歌唱力採点手段（３５）に出力される。一方、リファレンス周波数検出部（５１）には、カラオケ楽曲の演奏に同期して楽曲シーケンサ（３１）からリファレンスデータが入力される。このリファレンス周波数検出部（５１）は、入力されたＭＩＤＩデータのノートオンイベントデータから音高情報を抽出し、その音高のセント値をリファレンス周波数として歌唱力採点手段（３５）に出力する。また、ボーカルアダプタ（１９）には楽曲シーケンサ（３１）からノートオン情報、ノートオフ情報、マークデータ情報などの制御情報が入力されるため、リファレンス周波数検出部（５１）は、これも歌唱力採点手段（３５）に出力する。
【００２２】
なお、歌唱力採点手段（３５）は、入力された歌唱周波数およびリファレンス周波数を所定のメモリ（図示せず）に書き込むと共に、これら周波数データに対してローパスフィルタ（ＬＰＦ：５５，５６）にて処理を行う。このＬＰＦ処理は、リファレンス周波数情報に対しては音高変化を滑らかにしたり、歌唱周波数情報に対してはビブラートなどの技巧を除去してフラットな情報を得るものである。
【００２３】
採点部（５７）における採点は所定のアルゴリズムに基づき行われるが、通常、これは歌唱周波数とリファレンス周波数とを比較し、その差分（セント値）を算出し、この差分に基づいて各ノート（音符）毎に「合格ノート」と「不合格ノート」を判定するものであり、この採点部（５７）には、リファレンス周波数検出部（５１）からノートオン情報とノートオフ情報が入力され、その区間に歌唱周波数が所定サンプル以上歌唱旋律の音高に合っていた場合には合格ノートであると判定し、歌唱周波数が歌唱旋律の音高に合った回数が所定サンプル未満であった場合には不合格ノートであると判定する。基本点数は、例えば、合格ノート数を全ノート数で除した値に基づき算出して求められ、歌唱力採点手段（３５）は、歌唱周波数以外に歌唱のビブラート、抑揚、声質、タイミング、しゃくりなどの歌唱要素を検出し、これも所定のアルゴリズムに基づいて付加的なポイントを算出して、これを基本得点に加算ないし減算したものを最終得点としている。
【００２４】
次に、図３に示す本発明の歌唱力審査エントリーシステムのディスプレイ表示フロー図に基づき、本発明をさらに詳述する。
【００２５】
図３に示すＤ１、Ｄ２、Ｄ３、Ｄ４、Ｄ５ａ、Ｄ５ｂ、Ｄ６、Ｄ７はそれぞれ、表示機能を有するリモコン装置が付帯する液晶ディスプレイ（通称ＬＣＤ）の表示画面である。なお、この画面表示は、リモコン装置のＬＣＤと共に、上述した図１におけるディスプレイ装置（２２）に表示しても構わない。
【００２６】
歌唱力認定を受ける際には、先ず、そのプレ審査エントリーを受けるための表示画面（Ｄ１）が表示され、歌唱者が「プレ審査エントリー」のアイコン（６１）を選択すると、歌唱者ＩＤを入力するための表示画面（Ｄ２）に変わり、ここで、歌唱者はＩＤカードないし暗証番号の入力にて自らのＩＤを入力する。具体的には、「ＩＤカード」のアイコン（６２）ないし「暗唱番号入力」のアイコン（６３）を選択し、前者ならば付帯のＩＤカード読み取り／書き込み装置にてＩＤカードからＩＤを読み取り、後者ならば付帯の１０キーにて歌唱者が暗唱番号を入力する。
【００２７】
歌唱者ＩＤが入力されると、次に、審査対象となる歌唱楽曲を指定するため、その楽曲のＩＤコードを入力する表示画面（Ｄ３）に変わり、歌唱者は「楽曲コード入力部」のアイコン（６４）に所定の番号を付帯の１０キーにて入力し、「確定」のアイコン（６５）を選択して楽曲が指定されると、自動採点・録音・プレ審査が行われる旨のメッセージ表示画面（Ｄ４）に変わり、その後、所定の演奏が開始される。
【００２８】
歌唱者が歌唱を終えると、その歌唱力の自動採点結果と共に、審査エントリーができるか否かが画面表示され、審査エントリーができる場合は、その旨を表記した表示画面（Ｄ５ａ）には「エントリー」のアイコン（６７）が表示され、審査エントリーができない場合は、その旨を表記した表示画面（Ｄ５ｂ）にはこのアイコン（６７）は表示されない。なお、歌唱者は、その時録音された自らの歌唱を「試聴」のアイコン（６８）を選択して聴いたり、「再挑戦」のアイコン（６９）を選択することで、再度、プレ審査にチャレンジすることができる。この再挑戦のシステムは審査エントリーの可否にかかわらず利用できるが、再挑戦は所定回数に限定されており、所定回数を超える場合は表示されない。
【００２９】
上記で審査エントリーができる場合は、その表示画面（Ｄ５ａ）の「エントリー」のアイコン（６７）を選択することで、審査料（エントリー料）支払いの表示画面（Ｄ６）に変わる。この表示画面（Ｄ６）では、支払い方法は二つ指定され、一つは、個人ＩＤ認証と共に金銭の授受ができる非接触方式のＩＣカードを利用する方法で、もう一つは、プリペイド方式の磁気カードを利用する方法である。具体的には、「ＩＤカード」のアイコン（７０）ないし「プリペイドカード」のアイコン（７１）を選択して支払いを行い、付帯のＩＤカード読み取り／書き込み装置にて審査料が引き落とされる。なお、非接触方式のＩＣカードを利用する場合には、当該ＩＤカードには課金情報と共にエントリー情報に関するデータも記憶する。そして、支払いが完了すると、歌唱者の氏名、歌唱楽曲名などと共に正式にエントリーされた旨のメッセージ表示画面（Ｄ７）に変わり、その後、通常の画面に戻る（図示せず）。
【００３０】
さらに、図４に示す本発明の歌唱力審査エントリーシステムにおけるカラオケホスト装置周辺のブロック図、および図５に示す歌唱者毎の採点情報ランキングテーブルの概略図に基づき、本発明を詳述する。
【００３１】
上述したように、カラオケ演奏端末（Ｐ）が付帯したリモコン装置（２３）とＩＤカード読み取り／書き込み装置（Ｒ／Ｗ：３７）を用いて、歌唱者のエントリー指示により、図１に示したカラオケ演奏端末（Ｐ）のＲＡＭ（１２）に記憶した歌唱者ＩＤ（４２）、楽曲ＩＤコード（４３）、採点結果（４４）、録音情報（４５）などのエントリー情報はネットワーク通信回線（Ｎ）を介してカラオケホスト装置（Ｈ）にアップロードされる。そして、カラオケホスト装置（Ｈ）の通信制御手段（８２）は、これらエントリー情報をハードディスク（ＨＤＤ：８３）の審査対象情報管理ファイル（８４）に記憶させるが、歌唱者ＩＤフィールド（８５）と、その歌唱者ＩＤに紐付けされた楽曲ＩＤコードフィールド（８６）、採点結果フィールド（８７）、録音情報フィールド（８８）をそれぞれ作成して記憶し、これらを審査対象情報として管理する。なお、本発明の管理方法はこれに限定されず、例えば、歌唱者ＩＤ毎に個人ファイルを形成し、そのファイル内に楽曲ＩＤコード、採点結果、録音情報を一緒に記憶させても構わない。
【００３２】
そして、エントリーした歌唱者毎に、歌唱した楽曲とその採点結果に基づいた当該歌唱者の採点情報ランキングテーブル（Ｔ）が作成されており、関連するエントリー情報がアップロードされる毎に逐次更新される。図５は、この採点情報ランキングテーブルの概略図であるが、このランキングテーブル（Ｔ）は、歌唱者ＩＤフィールド（９１）、歌唱された楽曲のＩＤコードが示された楽曲ＩＤコードフィールド（９２）、自動採点による採点値が示された採点結果フィールド（９３）、当該採点値に基づいた各歌唱楽曲における順位フィールド（９４）、最終的に審査員による審査の結果、最終的に認定された認定段位（級位）フィールド（９５）、などで主に構成されている。
【００３３】
本発明では、所定の楽曲に対する歌唱力の自動採点による結果が、その採点時においてカラオケホスト装置に既に記録されている当該楽曲に対する当該歌唱者の採点値を越えた場合、ないし当該楽曲に対する当該歌唱者のエントリー情報が存在しない場合はエントリー指示を受け付け可能とし、採点値を越えない場合はエントリー指示を受け付け不可とするものである。すなわち、所定の楽曲に対する新規の審査エントリーを除き、既に審査されている場合、採点結果フィールド（９３）における対象楽曲の採点値を越えなければ審査エントリーできない。さらに、当該歌唱者の採点値を越えた場合は、審査対象情報として管理する当該楽曲に対するエントリー情報が新規に書き変わり、採点情報ランキングテーブル（Ｔ）では、採点結果フィールド（９３）における対象の採点値が書き変わり、本審査後に昇級・昇段がなされた場合に、認定段位（級位）フィールド（９５）における対象の段位（級位）も書き変わる。
【００３４】
このように、上記ランキングテーブル（Ｔ）において、エントリー情報がアップロードされる毎に逐次更新されるため、常に過去の最高採点値が登録され、これと比較して、本審査にて昇級や昇段が到底望めない場合には、審査エントリーを受け付けないようにすることで、本審査の無駄を省き、審査エントリーの希望者数が想定外に増加した場合であっても効率的に本審査を行い得る。なお、この歌唱者毎の採点情報テーブル情報は、歌唱者ＩＤの認識と当該歌唱者の指示により、該当するテーブルをカラオケホスト装置からカラオケ演奏端末にダウンロードさせ、リモコン装置のＬＣＤないしディスプレイ装置にて表示させることで、各歌唱者が自らの歌唱力をそれぞれの楽曲について客観的かつ相対的に判断することもできる。
【００３５】
次に、図６に示す本発明の歌唱力審査エントリーシステムのシステムフロー図に基づいて、本発明をさらに詳述する。
【００３６】
先ず、歌唱者はカラオケ演奏端末が付帯するリモコン装置を用いてプレ審査のエントリーを指示し（Ｓ１）、歌唱者ＩＤを所定の方法で入力すると（Ｓ２）、この歌唱者ＩＤは演奏装置本体のＲＡＭに記憶される（Ｓ３）。次に、歌唱楽曲のＩＤコードを指定する（Ｓ４）と楽曲が演奏され、歌唱音声に対する自動採点と録音が同時に行われる（Ｓ５）。歌唱が終わると、歌唱者ＩＤを紐付けした楽曲ＩＤコード、採点結果、録音情報が、一旦演奏装置本体のＲＡＭに記憶される（Ｓ６）。そして、これらエントリー情報の内、採点結果と楽曲ＩＤコードがカラオケホスト装置にアップロードされる（Ｓ７）。
【００３７】
アップロードされた採点結果は、それに関連する採点情報ランキングテーブルを用いて比較、評価される（Ｓ８）が、この時、先ず、対象楽曲についての既存のエントリー情報があるか否かが判断され（Ｓ９）、ない場合にはプレ審査合格のお知らせと共にエントリーアイコンを表示する（Ｓ１２）。ある場合には採点結果と既存の採点値が比較され（Ｓ１０）、これを越えていれば、同様にプレ審査合格のお知らせと共にエントリーアイコンを表示する（Ｓ１２）。反面、これを越えていなければ、プレ審査不合格のお知らせが表示され、エントリーアイコンは表示しない（Ｓ１１）。プレ審査に合格し、歌唱者がエントリーを指示する（Ｓ１３）と審査料の請求が行われる（Ｓ１４）。歌唱者が所定の方法で審査料を入金する（Ｓ１５）とカラオケホスト装置の採点情報ランキングテーブルに、その採点結果が登録されると共にテーブルが更新される（Ｓ１６）。そして、当該エントリー情報はハードディスクに記憶されて、審査対象情報として管理される（Ｓ１７）。
【００３８】
以上、詳述した如く、本発明の歌唱力審査エントリーシステムによれば、歌唱力の自動採点を活用し、カラオケホスト装置にはカラオケ演奏端末から当該採点情報を含んだ歌唱者のエントリー情報が記憶されて逐次更新され、その更新情報に基づいて審査エントリーができるか否かが判断されるため、例えば、プレ審査において以前の審査エントリー時よりも採点が低く、本審査にて昇級や昇段が到底望めない場合には、審査エントリーを受け付けないようにすることで、本審査の無駄を省き、審査エントリーの希望者数が想定外に増加した場合であっても効率的に本審査を行い得るなどといった効果を奏する。
【図面の簡単な説明】
【００３９】
【図１】本発明のシステムにおけるカラオケ演奏端末のブロック図。
【図２】本発明のシステムにおける歌唱力採点機能のブロック図。
【図３】本発明のシステムのディスプレイ表示フロー図。
【図４】本発明のシステムにおけるカラオケホスト装置周辺のブロック図。
【図５】歌唱者毎の採点情報ランキングテーブルの概略図。
【図６】本発明のシステムのシステムフロー図。
【符号の説明】
【００４０】
Ｄ１    プレ審査エントリーを受けるための表示画面
Ｄ２    歌唱者ＩＤを入力するための表示画面
Ｄ３    楽曲のＩＤコードを入力する表示画面
Ｄ４    自動採点・録音・プレ審査が行われる旨のメッセージ表示画面
Ｄ５ａ  採点結果の相対評価により審査エントリーができる旨を表記した表示画面
Ｄ５ｂ  採点結果の相対評価により審査エントリーができない旨を表記した表示画面
Ｄ６    審査料支払いの表示画面
Ｄ７    正式にエントリーされた旨のメッセージ表示画面
【図１】
2005134596.tif 000003
【図２】
2005134596.tif 000004
【図３】
2005134596.tif 000005
【図４】
2005134596.tif 000006
【図５】
2005134596.tif 000007
【図６】
2005134596.tif 000008